(57)【要約】【課題】送風量の増大に関わらず誤検知がなく、加湿フィルタを正確な回転停止位置で回転停止させることができる加湿装置を提供する。【解決手段】縦姿勢で軸支されて周縁部の一部を貯水槽１５に浸す加湿フィルタ１８と、加湿フィルタ本体１８ａの周縁部の一部を囲う非吸水性の防水部２８と、フィルタ枠２２の外周面２２ｂに転接して回転させるローラ２１と、外周面２２ｂで外向きに突設された突起輪２２ｃと、ローラ２１に周設された溝（２１ｂ）とを備え、溝（２１ｂ）が突起輪２２ｃに嵌合して加湿フィルタ１８が回転しており、送風量が増大しても、突起輪２２ｃ及び溝（２１ｂ）の係合により、加湿フィルタ１８が風向き方向に位置ずれせず、防水部２８で囲まれた加湿フィルタ本体１８ａの非吸水領域（１８ｂ）の周方向の中心位置を正確に検知して、加湿フィルタ本体１８ａが吸水しない回転停止位置で、加湿フィルタ１８が回転停止する。【選択図】図１０
2009186073.tif 000002
【特許請求の範囲】
【請求項１】
吸水性及び通気性を有する加湿フィルタ本体と、
該加湿フィルタ本体を保持する円環状のフィルタ枠と
を用いてなる加湿フィルタと、
該加湿フィルタを周方向に回転させる回転駆動機構と、
前記加湿フィルタに対し、該加湿フィルタに交差する方向に空気を流入させる送風機と
を備えた加湿装置において、
前記フィルタ枠の周縁部、内周面又は外周面に設けられた被検知部と、
前記フィルタ枠の外周面に臨設された検知器と
を有することを特徴とする加湿装置。
【請求項２】
吸水性及び通気性を有する加湿フィルタ本体と、
該加湿フィルタ本体を保持する円環状のフィルタ枠と
を用いてなる加湿フィルタと、
該加湿フィルタを周方向に回転させる回転駆動機構と、
前記加湿フィルタに対し、該加湿フィルタに交差する方向に空気を流入させる送風機と
を備えた加湿装置において、
前記フィルタ枠の外周面に突起輪が突設されており、
前記回転駆動機構はローラであり、該ローラには、前記突起輪に嵌合する溝が周設されていることを特徴とする加湿装置。
【請求項３】
吸水性及び通気性を有する加湿フィルタ本体と、
該加湿フィルタ本体を保持する円環状のフィルタ枠と
を用いてなる加湿フィルタと、
該加湿フィルタを周方向に回転させる回転駆動機構と、
前記加湿フィルタに対し、該加湿フィルタに交差する方向に空気を流入させる送風機と
を備えた加湿装置において、
前記回転駆動機構はローラであり、該ローラの外周面に突起輪が突設されており、
前記フィルタ枠には、前記突起輪に嵌合する溝が周設されていることを特徴とする加湿装置。
【請求項４】
前記フィルタ枠に設けられた被検知部と、
該被検知部の回転域に臨設された検知器と
を有することを特徴とする請求項２又は３に記載の加湿装置。
【請求項５】
上部に開口部を有する貯水槽を備え、
前記加湿フィルタは、前記貯水槽の上部に回転軸を横向きに支持され、該加湿フィルタの周縁部の一部を浸水可能にしており、
前記フィルタ枠は前記加湿フィルタ本体の周縁部の一部を囲う防水部を備えていることを特徴とする請求項１から４までのいずれか一つに記載の加湿装置。
【請求項６】
前記加湿フィルタの回転を制御する制御部を備え、
該制御部は前記検知器の検知信号に基づいて前記防水部を最下部に位置させて該加湿フィルタの回転を停止させるようにしてあることを特徴とする請求項１から５までのいずれか一つに記載の加湿装置。
【発明の詳細な説明】
【技術分野】
【０００１】
本発明は、回転可能な加湿フィルタを備える気化方式の加湿装置に関する。
【背景技術】
【０００２】
従来、室内に設置された気化方式の加湿装置は、回転可能な加湿フィルタと、送風機とを備え、吸水した加湿フィルタに送風機で室内の空気を送風することによって、加湿空気を室内へ放出し、室内の空気の湿度を一定の範囲に調整するようにしている（例えば特許文献１参照）。
【０００３】
図１７は従来の加湿装置の内部構成を示す概略側断面図、図１８は加湿フィルタの非吸水部の詳細を示す図１７のＣの部分拡大図である。
加湿装置は床面に立設される直方体状で縦長の筐体１を備え、筐体１の背面に縦長矩形状の吸気口２が形成されている。吸気口２と略同形状の集塵フィルタ２ａが吸気口２に取り付けられている。筐体１の正面寄りの天面には、横長の送風口３が形成されている。
【０００４】
吸気口２から筐体１内の奥方向へ、順に、上端部に開口部を有する直方体状で横長の貯水槽５と、送風機６とが配設されている。貯水槽５と送風機６とは隔壁１ａにより室が分かれている。隔壁１ａには、送風機６の吸い込み口６ａに対向する箇所に、多数の風穴１ｂ、１ｂ・・・が形成されている。送風機６の噴き出し口６ｂは筐体１の天面の送風口３に向いており、吸気口２から送風口３に至る空気の通路（図１７中、白抜き矢印で示すＥ１からＥ５を参照）が形成されている。
【０００５】
加湿フィルタ４は、回転可能になっており、吸水性及び通気性を有する円盤状の加湿フィルタ本体４ａと、加湿フィルタ本体４ａを保持する円環状のフィルタ枠４ｂとを備えている。フィルタ枠４ｂは非吸水性の部材で形成されている。
加湿フィルタ４は貯水槽５の上端部に縦姿勢で回転軸４ｃを横向きにして支持されており、加湿フィルタ４の周縁部の一部を貯水槽５の水面に浸している。
フィルタ枠４ｂの外周面の最頂部、即ち加湿フィルタ４の外周面の最頂部は、フィルタモータ７に軸支されたローラ７ａに転接しており、ローラ７ａの回転と連動して加湿フィルタ４が周方向へ回転するようになっている。
【０００６】
加湿フィルタ本体４ａの周縁部の一部には、長軸が加湿フィルタ本体４ａの直径と平行な半楕円状の非吸水部４ｄが設けられており、非吸水部４ｄは非吸水性の部材でなっている。非吸水部４ｄの長軸の長さは加湿フィルタ本体４ａの半径程度である。
加湿装置は、空気清浄化の送風のみで加湿運転をしない場合（電源オフの場合を含む）、非吸水部４ｄの周方向の中心位置を最下部に位置させて、加湿フィルタ４の回転を停止させている。加湿フィルタ４の回転停止位置で、非吸水部４ｄが貯水槽５に浸水している。
加湿フィルタ４の回転停止位置で非吸水部４ｄが浸水しているため、加湿フィルタ本体４ａが吸水しないようになっている。
非吸水部４ｄにより加湿フィルタ本体４ａが吸水しないようになっているため、加湿運転をしない場合及び電源オフの場合、加湿フィルタ本体４ａが自然に乾燥状態を保ち、カビの発生が抑えられ、加湿フィルタ本体４ａの寿命を延ばすことができる。
【０００７】
加湿フィルタ４の非吸水部４ｄの位置を検知するために、柱状の磁石８ａが非吸水部４ｄの背面側に設けられている。加湿フィルタ４の回転により磁石８ａは円軌道を描いて回転移動する。加湿フィルタ４の回転による磁石８ａの周方向の接近及び隔離は、貯水槽５の背面側で磁石８ａと水平方向に対向可能な位置に設けられているリードスイッチ８ｂにより検知している。
このような加湿装置は、磁石８ａの接近及び隔離を検知するリードスイッチ８ｂの信号に基づいて、フィルタモータ７が止まり、加湿フィルタ４が回転停止位置で回転停止する。
【特許文献１】特開２００３−３０２０７７号公報
【発明の開示】
【発明が解決しようとする課題】
【０００８】
しかしながら、従来の加湿装置では、加湿フィルタ４が回転する加湿運転中に送風量が例えば弱から強に切り替わって増大した場合、図１８に示すように、加湿フィルタ４への風圧が増大して、加湿フィルタ４が回転軸４ｃとともに水平方向に送風機６側へ位置ずれし（図１７、１８の白抜き矢印で示すＤを参照）、磁石８ａとリードスイッチ８ｂとが対向する位置での距離が水平方向に広がり、リードスイッチ８ｂは磁石８ａの接近及び隔離を検知する周方向の位置を誤検知する可能性がある。
このように、従来の加湿装置では、送風量の増大により水平方向に加湿フィルタ４の位置ずれが生じ、加湿フィルタ４の位置ずれにより磁石８ａの位置が検知領域からずれるため、リードスイッチ８ｂが非吸水部４ｄの正確な位置を検知できなくなり、加湿フィルタ本体４ａが吸水しない加湿フィルタ４の回転停止位置でタイミングよく回転停止させることができない場合が有り得る。
【０００９】
本発明は、このような事情に鑑みてなされたものであって、その目的とするところは、加湿フィルタのフィルタ枠の外周面に臨ませた検知器を備えることにより、送風量の増大に関わらず加湿フィルタの風向き方向への位置ずれの影響を抑えて誤検知がなく、加湿フィルタを正確な回転停止位置で回転停止させることができる加湿装置を提供することにある。
さらに本発明の他の目的とするところは、フィルタ枠の外周面に転接して加湿フィルタを回転させるローラに溝を周設し、該溝が嵌合する突起輪をフィルタ枠の外周面に突設する構成を備えることにより、送風量の増大に関わらず加湿フィルタの風向き方向への位置ずれを拘束して誤検知がなく、加湿フィルタを正確な回転停止位置で回転停止させることができる加湿装置を提供することにある。
【課題を解決するための手段】
【００１０】
本発明の加湿装置は、吸水性及び通気性を有する加湿フィルタ本体と、該加湿フィルタ本体を保持する円環状のフィルタ枠とを用いてなる加湿フィルタと、該加湿フィルタを周方向に回転させる回転駆動機構と、前記加湿フィルタに対し、該加湿フィルタに交差する方向に空気を流入させる送風機とを備えた加湿装置において、前記フィルタ枠の周縁部、内周面又は外周面に設けられた被検知部と、前記フィルタ枠の外周面に臨設された検知器とを有することを特徴とする。
【００１１】
このような構成の本発明の加湿装置では、回転駆動機構により加湿フィルタが回転している場合、フィルタ枠の周縁、内周面又は外周面に設けた被検知部は円軌道を描いて回転移動し、検知器は被検知部の接近及び隔離を周方向で検知する。
送風量が増大して加湿フィルタへの風圧が増大し、加湿フィルタに風向き方向の力が加わり、加湿フィルタが風向き方向に位置ずれした場合、加湿フィルタの回転により被検知部が検知器に対向する位置にきたとき、検知器と被検知部との距離は、フィルタ枠の半径方向で略一定であり、加湿フィルタの風向き方向への位置ずれの影響を抑えて、検知器の検知領域に変動が生じない。
したがって、本発明の加湿装置では、検知器は、被検知部が接近及び隔離する周方向の位置を正確に検知して、加湿フィルタがタイミングよく正確な回転停止位置で回転停止可能になる。
【００１２】
本発明の加湿装置は、吸水性及び通気性を有する加湿フィルタ本体と、該加湿フィルタ本体を保持する円環状のフィルタ枠とを用いてなる加湿フィルタと、該加湿フィルタを周方向に回転させる回転駆動機構と、前記加湿フィルタに対し、該加湿フィルタに交差する方向に空気を流入させる送風機とを備えた加湿装置において、前記フィルタ枠の外周面に突起輪が突設されており、前記回転駆動機構はローラであり、該ローラには、前記突起輪に嵌合する溝が周設されていることを特徴とする。
【００１３】
このような構成の本発明の加湿装置では、回転駆動機構のローラがフィルタ枠の外周面に転接して回転するとき、ローラの溝がフィルタ枠の突起輪に嵌合した状態で、加湿フィルタが回転する。
送風量が増大して加湿フィルタへの風圧が増大し、加湿フィルタに風向き方向の力が加わった場合、ローラの溝がフィルタ枠の突起輪に嵌合しているため、加湿フィルタの位置ずれを拘束し、加湿フィルタは風向き方向への位置ずれを生じない。
【００１４】
本発明の加湿装置は、吸水性及び通気性を有する加湿フィルタ本体と、該加湿フィルタ本体を保持する円環状のフィルタ枠とを用いてなる加湿フィルタと、該加湿フィルタを周方向に回転させる回転駆動機構と、前記加湿フィルタに対し、該加湿フィルタに交差する方向に空気を流入させる送風機とを備えた加湿装置において、前記回転駆動機構はローラであり、該ローラの外周面に突起輪が突設されており、前記フィルタ枠には、前記突起輪に嵌合する溝が周設されていることを特徴とする。
【００１５】
このような構成の本発明の加湿装置では、回転駆動機構のローラがフィルタ枠の外周面に転接して回転するとき、ローラの突起輪がフィルタ枠の溝に嵌合した状態で、加湿フィルタが回転する。
送風量が増大して加湿フィルタへの風圧が増大し、加湿フィルタに風向き方向の力が加わった場合、ローラの突起輪がフィルタ枠の溝に嵌合しているため、加湿フィルタの位置ずれを拘束し、加湿フィルタは風向き方向への位置ずれを生じない。
【００１６】
本発明の加湿装置は、前記フィルタ枠に設けられた被検知部と、該被検知部の回転域に臨設された検知器とを有することを特徴とする。
【００１７】
このような構成の本発明の加湿装置では、ローラがフィルタ枠の外周面に転接して回転するとき、ローラの溝がフィルタ枠の突起輪に嵌合した状態で、加湿フィルタが回転する。
加湿フィルタが回転しているとき、フィルタ枠に設けた被検知部は円軌道を描いて回転移動し、検知器は被検知部の接近及び隔離を周方向で検知する。
送風量が増大して加湿フィルタへの風圧が増大し、加湿フィルタに風向き方向の力が加わった場合、ローラの溝がフィルタ枠の突起輪に嵌合しているため、加湿フィルタの位置ずれを拘束し、加湿フィルタは風向き方向への位置ずれを生じず、検知器及び被検知部の対向位置に変動がない。
したがって、本発明の加湿装置では、検知器は被検知部が接近及び隔離する周方向の位置を正確に検知して、加湿フィルタがタイミングよく正確な回転停止位置で回転停止可能になる。
【００１８】
本発明の加湿装置は、上部に開口部を有する貯水槽を備え、前記加湿フィルタは、前記貯水槽の上部に回転軸を横向きに支持され、該加湿フィルタの周縁部の一部を浸水可能にしており、前記フィルタ枠は前記加湿フィルタ本体の周縁部の一部を囲う防水部を備えていることを特徴とする。
【００１９】
このような構成の本発明の加湿装置では、例えば送風量が増大して加湿フィルタへの風圧が増大し、加湿フィルタに風向き方向の力が加わった場合、加湿フィルタの回転により被検知部が検知器に対向する位置にきたとき、検知器と被検知部とが対向する位置での距離は、フィルタ枠の半径方向で略一定であり、加湿フィルタの風向き方向への位置ずれの影響を抑え又は位置ずれが生じず、検知器の検知領域に変動が生じない。
加湿フィルタの周縁部の一部が貯水槽内で浸水している場合、防水部が囲う加湿フィルタ本体の周縁部の一部は、吸水しない非吸水領域になり、加湿フィルタ本体の周縁部の残余の部分は、吸水する吸水領域になる。加湿フィルタの回転により、非吸水領域及び吸水領域が交互に貯水槽内で水面に浸かり、吸水する加湿フィルタの回転により加湿フィルタ本体に水がむらなく行き渡る。
したがって、本発明の加湿装置では、検知器は、被検知部が接近及び隔離する周方向の位置を正確に検知して、防水部が水面に浸かる加湿フィルタの正確な回転停止位置でタイミングよく回転停止可能になり、加湿フィルタ本体は防水部により貯水槽の水との接触が断たれて吸水しない状態を維持する。
【００２０】
本発明の加湿装置は、前記加湿フィルタの回転を制御する制御部を備え、該制御部は前記検知器の検知信号に基づいて前記防水部を最下部に位置させて該加湿フィルタの回転を停止させるようにしてあることを特徴とする。
【００２１】
このような構成の本発明の加湿装置では、例えば送風量が増大して加湿フィルタへの風圧が増大し、加湿フィルタに風向き方向の力が加わった場合、加湿フィルタの回転により被検知部が検知器に対向する位置にきたとき、検知器と被検知部とが対向する位置での距離は、フィルタ枠の半径方向で略一定であり、加湿フィルタの風向き方向への位置ずれの影響を抑え又は位置ずれが生じず、検知器の検知領域に変動が生じない。
検知器の検知信号に基づいて加湿フィルタの回転を制御する制御部により、加湿フィルタが回転停止位置で停止している場合、防水部は周方向の中心位置を加湿フィルタの回転域の最下部で貯水槽内に浸水しており、防水部が囲う加湿フィルタ本体の周縁部の一部は、吸水しない非吸水領域になっている。
したがって、本発明の加湿装置では、検知器は、被検知部が接近及び隔離する周方向の位置を正確に検知し、防水部が水面に浸かる加湿フィルタの正確な回転停止位置でタイミングよく回転停止して、加湿フィルタ本体は防水部により貯水槽の水との接触が断たれて吸水しない状態を維持する。
【００２２】
本発明の加湿装置における検知器は、フィルタ枠の外周面に対向する貯水槽の底部に設けられているのが好ましい。
【００２３】
このような構成の本発明の加湿装置では、加湿フィルタが回転し、検知器と被検知部とが対向したとき、フィルタ枠の内周面又は外周面に設けた被検知部は、フィルタ枠の最下部に位置して貯水槽の底部に設けた検知器に対向する。
例えば送風量が増大して加湿フィルタへの風圧が増大し、加湿フィルタに風向き方向の力が加わった場合、加湿フィルタの回転により被検知部が検知器に対向する位置にきたとき、検知器と被検知部とが対向する位置での距離は、フィルタ枠の半径方向で略一定であり、加湿フィルタの風向き方向への位置ずれの影響を抑え又は位置ずれが生じず、検知器の検知領域に変動が生じない。
したがって、本発明の加湿装置では、検知器は被検知部が接近及び隔離する周方向の位置を正確に検知して、防水部が水面に浸かる加湿フィルタの正確な回転停止位置でタイミングよく回転停止可能になり、加湿フィルタ本体は防水部により貯水槽の水との接触が断たれて吸水しない状態をする。
【００２４】
本発明の加湿装置において、前記検知器はリードスイッチであり、前記被検知部は磁石であることを特徴とする。前記検知器はリードスイッチに限らず、ホールＩＣ、フォトカプラ及びタクトスイッチ等を使用してもよい。
【００２５】
このような構成の本発明の加湿装置では、加湿フィルタが回転している場合、フィルタ枠の内周面又は外周面に設けた磁石は円軌道を描いて回転移動し、リードスイッチは磁石の接近及び隔離を周方向で検知する。
例えば送風量が増大して加湿フィルタへの風圧が増大し、加湿フィルタに風向き方向の力が加わった場合、加湿フィルタの回転により磁石がリードスイッチに対向する位置にきたとき、リードスイッチと磁石とが対向する位置での距離は、フィルタ枠の半径方向で略一定であり、加湿フィルタの風向き方向への位置ずれの影響を抑え又は位置ずれが生じず、リードスイッチの検知領域に変動が生じない。
したがって、本発明の加湿装置では、リードスイッチは磁石が接近及び隔離する周方向の位置を正確に検知して、防水部が水面に浸かる加湿フィルタの正確な回転停止位置でタイミングよく回転停止可能になり、加湿フィルタ本体は防水部により貯水槽の水との接触が断たれて吸水しない状態を維持する。
【発明の効果】
【００２６】
本発明の加湿装置は、加湿フィルタ本体を保持するフィルタ枠の外周面に臨んで設けられた検知器に対向可能な被検知部をフィルタ枠の周縁部、内周面又は外周面に設けているので、送風量が増大して加湿フィルタの風向き方向への位置ずれが生じ、検知器及び被検知部の風向き方向の距離に広がりが生じた場合でも、検知器及び被検知部が対向する位置での距離をフィルタ枠の半径方向で略一定に保持することができ、加湿フィルタの風向き方向への位置ずれの影響を抑えて検知器の誤検知がなく、被検知部の接近及び隔離を周方向で正確に検知することができるという効果を有する。
したがって、本発明の加湿装置は、加湿フィルタを正確な回転停止位置で回転停止させることができるようになる。
また本発明の加湿装置は、フィルタ枠の外周面に転接して加湿フィルタを回転させるローラに溝又は突起輪を周設し、該溝又は突起輪が嵌合する突起輪又は溝をフィルタ枠の外周面に周設しているので、送風量の増大に関わらず加湿フィルタの風向き方向への位置ずれを拘束して、加湿フィルタの位置ずれが生じず、誤検知がないという効果を有する。
【発明を実施するための最良の形態】
【００２７】
以下、図面に基づき、本発明による加湿装置の好適な実施の形態を説明する。
（実施の形態１）
図１は実施の形態１に係る加湿装置の内部構成を示す概略側断面図、図２は加湿フィルタの背面図、図３は図２のＩＩＩ−ＩＩＩ側断面図である。
実施の形態１に係る加湿装置は直方体状で縦長の筐体１０を備える。筐体１０の背面には、背面の略全面で空気を吸入する矩形状の吸気口１２が形成されており、格子状になっている。吸気口１２に対向して、筐体１０内の奥方向に、吸気口１２と略同形で矩形状の集塵フィルタ１２ａ、脱臭フィルタ１２ｂ及びＨＥＰＡフィルタ１２ｃ（High Efficiency Particulate Air Filter）が空隙を介して順次設けられている。筐体１０の正面側寄りの天面に、筐体１０の横幅と同程度の長さの長軸を有する楕円状の送風口１３が形成されている。
吸気口１２から筐体１０内の正面方向へ、順に、一組の集塵フィルタ１２ａ、脱臭フィルタ１２ｂ及びＨＥＰＡフィルタ１２ｃと、貯水槽１５と、送風機３８とが配設されている。
【００２８】
筐体１０内で空気の通路を形成する隔壁１０ａにより、貯水槽１５のある背面側の室と、送風機３８のある正面側の室とに仕切られている。隔壁１０ａには、送風機３８の吸い込み口３８ｄと対向する箇所に、多数の風穴１０ｂ、１０ｂ・・・が形成されている。送風機３８の噴き出し口３８ｅは筐体１０の天面の送風口１３に向いており、吸気口１２から送風口１３に至る空気の通路が形成されている（図１で示す白抜き矢印Ｆ１からＦ４を参照）。
【００２９】
筐体１０内の床面の中央部に、上部に開口部を有する直方体状の貯水槽１５が、横向きに、ＨＥＰＡフィルタ１２ｃの正面側の近傍に配設されている。貯水槽１５の前壁１５ａ及び後壁１５ｂの上端部の横方向の中央に、それぞれＵ字形の軸受部１６ａ、１６ｂが設けられている。
【００３０】
円盤状の加湿フィルタ１８は縦姿勢で回転可能に貯水槽１５の上端部にて支持されている。即ち、加湿フィルタ１８の中心を回転軸１９が水平方向に貫通しており、回転軸１９の両端部１９ａ、１９ｂが、それぞれ貯水槽１５の軸受部１６ａ、１６ｂに支持されている。
貯水槽１５の高さは加湿フィルタ１８の半径の１／２の寸法より少し高く、筐体１０内の一側端側に、給水タンク４０が設けられている。貯水槽１５の水面Ｗは、液面センサ（図示せず）の信号に基づいて液面制御する給水タンク４０からの自動給水により、加湿フィルタ１８の周縁部の一部を浸す程度に制御されている。
【００３１】
加湿フィルタ１８は、吸水性及び通気性を有するハニカム構造の円盤状の加湿フィルタ本体１８ａと、加湿フィルタ本体１８ａを保持する円環状のフィルタ枠２２とを備え、フィルタ枠２２は非吸水性の部材で形成されている。
フィルタ枠２２には、コの字状の溝２２ａが内向きに周設されており、加湿フィルタ本体１８ａの周縁部が溝２２ａに嵌着している。
フィルタ枠２２の外周面２２ｂの最頂部に、加湿フィルタ１８を回転させるためのローラ２１の外周面２１ａが転接している。
ローラ２１を回転させるフィルタモータ２５は回転軸２５ａを横向きにして隔壁１０ａの背面側の上部に取り付けられている。ローラ２１は横姿勢でフィルタモータ２５の回転軸２５ａに連結されている。
フィルタモータ２５を駆動制御するフィルタモータ制御部６６（図４を参照）と、フィルタモータ２５と、フィルタモータ２５に回転軸２５ａで連結されたローラ２１とは、回転駆動機構を構成している。
【００３２】
図２及び図３に示すように、フィルタ枠２２の前後の中央部にハブ状の円盤部２３、２４が同心で同形状に形成されており、加湿フィルタ本体１８ａの中央部を挟持している。
フィルタ枠２２の前側の円盤部２３の中心からフィルタ枠２２の前側の周縁まで三等配に、スポーク状のリブ２３ａ、２３ｂ、２３ｃが、三個架設されている。さらにフィルタ枠２２の後側の円盤部２４の中心からフィルタ枠２２の後側の周縁まで三等配に、スポーク状のリブ２４ａ、２４ｂ、２４ｃが、三個架設されている。リブはそれぞれ同形であり、リブ２３ａ及びリブ２４ａは加湿フィルタ本体１８ａを挟持しており、他のリブ２３ｂ及びリブ２４ｂ、リブ２３ｃ及びリブ２４ｃも同様に加湿フィルタ本体１８ａを挟持している。
円盤部２３、２４の中央部に孔２３ｄ、２４ｄがそれぞれ同心に形成されている。加湿フィルタ１８の回転軸１９が孔２３ｄ、２４ｄを挿通しており、回転軸１９は円盤部２３、２４に固着されている。
【００３３】
フィルタ枠２２の前側の周端の一部には、前側のリブ２３ｂ及びリブ２３ｃで挟まれた劣弧部２６ａの周方向の中心位置からフィルタ枠２２の半径の１／３程度まで、フィルタ枠２２の中心側に、即ち直径側に前側壁２８ａが劣弧部２６ａの弦近くまでにわたって延出されている。
フィルタ枠２２の後側の周端の一部には、後側のリブ２４ｂ及びリブ２４ｃで挟まれた劣弧部２６ｂの周方向の中心位置からフィルタ枠２２の半径の１／３程度まで、フィルタ枠２２の直径側に、後側壁２８ｂが劣弧部２６ｂの弦近くまでにわたって延出されている。
フィルタ枠２２の半径の１／３程度までしか延出されていないため、前側壁２８ａの上端部２７ａ及び後側壁２８ｂの上端部２７ｂは、三角形状に凹んでいる。前側壁２８ａ及び後側壁２８ｂは同形状であり、加湿フィルタ本体１８ａの周縁部の一部を挟持している。
【００３４】
フィルタ枠２２の外周面２２ｂの一部をなす劣弧部２６ａ、２６ｂ側の外周部２２ｄ、前側壁２８ａ及び後側壁２８ｂは、加湿フィルタ本体１８ａの周縁部の一部を囲う防水部２８を形成しており、非吸水性の材料でなっている。
非吸水性の防水部２８は貯水槽１５内に位置したとき、貯水槽１５の上限の水面Ｗから防水部２８の上端部２７ａ、２７ｂが逆山形状に突出可能になっている。
【００３５】
加湿フィルタ１８が回転し、防水部２８が貯水槽１５内に位置して浸水中であるとき、防水部２８で囲われた加湿フィルタ本体１８ａの周縁部の一部は吸水しない。即ち、防水部２８で囲われた加湿フィルタ本体１８ａは、加湿フィルタ１８の非吸水領域１８ｂを形成している（図２の矢印Ｇで示す領域）。
加湿フィルタ本体１８ａ周縁部の残余の部分は、貯水槽１５内に位置して浸水中であるとき、吸水するようになっており、加湿フィルタ１８の吸水領域１８ｃを形成している（図２の矢印Ｈで示す領域）。
【００３６】
非吸水領域１８ｂの位置を検知するため、被検知部である磁石３２が、防水部２８の内周面２８ｃの中央に、つまり劣弧部２６ａ及び劣弧部２６ｂの各中央部を結ぶ直線上の中央に設けられている。換言すれば、磁石３２は、非吸水領域１８ｂの周方向の中心位置に設けられており、フィルタ枠２２で保持する円盤状の加湿フィルタ本体１８ａの周縁部に埋め込まれた状態になっている。
吸水した加湿フィルタ本体１８ａは、加湿フィルタ１８の回転により、全体に水がむらなく行き渡るため、磁石３２の全表面が防水処理されている。
【００３７】
磁石３２は加湿フィルタ１８の回転に伴い円軌道を描いて回転移動する。加湿フィルタ１８の回転による磁石３２の接近及び隔離する周方向の位置を検知するために、検知器として機能するリードスイッチ３４が、フィルタ枠２２の外側に位置し、貯水槽１５の平面視矩形状をなす底部１５ｃの外側の下面の中央部に設けられている。磁石３２は貯水槽１５の底部１５ｃを介してリードスイッチ３４に対向可能になっている。貯水槽１５の底部１５ｃ下面の中央部は、筐体１０の床面に形成された凹部３５に対向しており、凹部３５内にリードスイッチ３４が嵌入した状態になっている（図１参照）。
【００３８】
リードスイッチ３４は、磁石３２が検知範囲内にきたときスイッチオンし、検知範囲外になったときスイッチオフとなるように設定されている。リードスイッチ３４は信号線を介して制御部３６に接続されている（図１を参照）。
【００３９】
加湿装置は、リードスイッチ３４のスイッチオン及びスイッチオフする時間間隔に基づいて、加湿フィルタ１８の回転停止位置のタイミングを制御している。加湿フィルタ１８は、非吸水領域１８ｂが周方向の中心位置を最下部にして貯水槽１５の水面Ｗに浸かり、磁石３２とリードスイッチ３４とが対向している位置で回転停止するようになっている。
【００４０】
加湿フィルタ１８の前側に隔壁１０ａの風穴１０ｂ、１０ｂ・・・を介して送風機３８が配設されており、加湿フィルタ１８が送風機３８の吸い込み口３８ｄに対向している。
送風機３８は、ファンモータ３８ａの水平な回転軸３８ｂに円筒型でカゴ状の羽根３８ｃの中心が軸支されたシロッコファンであり、ファンモータ３８ａは筐体１０の正面パネルの裏面に固定されている。
【００４１】
図４は実施の形態１に係る加湿装置の制御部を示すブロック図である。
加湿装置の制御部３６は、制御中枢であるＣＰＵ５０と、制御プログラム及び制御データを記憶したＲＯＭ５２と、作業領域のＲＡＭ５４と、動作設定データを書き換え可能なＥＥＰＲＯＭ５６と、フィルタモータ２５を駆動制御するフィルタモータ制御部６６と、ファンモータ３８ａを駆動制御するファンモータ制御部６８とを備え、ＣＰＵ５０に湿度センサ６４の検知信号が入力可能になっている。
さらに、ＣＰＵ５０には、加湿運転のオン・オフキー及び各種ファンクションキーを有する操作部６０から、加湿運転開始か否かのオン・オフ信号が入力可能になっている。
湿度センサ６４は、加湿装置が設置されている室内の湿度を検知し、検知結果をＣＰＵ５０に与える。ＣＰＵ５０は湿度センサ６４の検知信号に基づいて加湿量及び送風量を設定し、制御部３６を制御する。
ＥＥＰＲＯＭ５６の記憶領域の一部には、加湿フィルタ１８の回転停止位置を決定するための制御データを記憶する時間記憶部５６ａが設けられている。
【００４２】
リードスイッチ３４は信号線を介してＣＰＵ５０に接続されている。リードスイッチ３４近傍の所定の検知範囲内に磁石３２が侵入したとき、リードスイッチ３４がオンになり、所定の検知範囲外に磁石３２が出たときオフになる。換言すれば、リードスイッチ３４に磁石３２が接近したとき、リードスイッチ３４はオンになり、隔離したとき、オフになる。この結果、リードスイッチ３４は、磁石３２の接近及び隔離を検知する検知器として機能する。
【００４３】
リードスイッチ３４のオン又はオフをＣＰＵ５０が検知する。リードスイッチ３４は、加湿フィルタ１８の周方向の一定検知範囲に磁石３２が位置している間はオンであり続ける。この一定検知範囲を、以下、スイッチオン領域という。
【００４４】
ＥＥＰＲＯＭ５６の時間記憶部５６ａには、磁石３２がスイッチオン領域の内部へ移動してからスイッチオン領域の外部へ移動するまでの時間の１／２の時間、即ち磁石３２がスイッチオン領域の内部へ移動してからスイッチオン領域の周方向中央位置に到達するまでの時間が、所定の時間Ｔとして記憶されている。
時間Ｔは、例えば加湿装置の工場出荷時に、フィルタモータ２５の駆動により回転するローラ２１と連動して加湿フィルタ１８を実際に回転させて計測した結果に基づいて算出され、時間記憶部５６ａに記憶される。
【００４５】
ファンモータ制御部６８は、ＣＰＵ５０に制御されて、制御信号をファンモータ３８ａに与える。ファンモータ３８ａは、ＡＣモータであり、ファンモータ制御部６８から与えられた制御信号に従って回転する。
ファンモータ制御部６８がファンモータ３８ａを駆動することによって、送風機３８のカゴ状の羽根３８ｃが回転し、筐体１０の吸気口１２から湿度が低い空気が吸入される。
集塵フィルタ１２ａ、脱臭フィルタ１２ｂ及びＨＥＰＡフィルタ１２ｃに直交する方向（交差する方向）に空気が流入して清浄化され、清浄化された空気が、加湿フィルタ１８に直交する方向（交差する方向）に流入する。
【００４６】
フィルタモータ制御部６６は、ＣＰＵ５０に制御されて、制御信号をフィルタモータ２５に与える。フィルタモータ２５はＡＣモータであり、フィルタモータ制御部６６から与えられた制御信号に従って所要の回転数で回転する。
【００４７】
フィルタモータ制御部６６がフィルタモータ２５を駆動したとき、ローラ２１が回転し、ローラ２１の回転と連動してフィルタ枠２２が回転する。即ち、ローラ２１の回転により加湿フィルタ１８が回転する。
【００４８】
加湿フィルタ１８を回転停止させる場合、制御部３６は、ＣＰＵ５０が検知するリードスイッチ３４のオン・オフに基づいて防水部２８の周方向の中心位置を加湿フィルタ１８の回転域の最下部に位置させてフィルタモータ２５を停止し、加湿フィルタ１８を回転停止させる。
【００４９】
図５は実施の形態１に係る加湿フィルタのホームポジションを示す背面図、図６は加湿フィルタが回転し、吸水している状態を示す背面図、図７は加湿フィルタが風圧の増大により風向き方向に位置ずれした状態を示す概略側断面図、図８は加湿装置における検知器及び被検知部の位置関係の詳細を示す図７のＡの部分拡大図、図９は加湿装置の加湿処理を示すフローチャートである。
実施の形態１に係る加湿装置では、操作部６０の電源スイッチオフの場合及び空気清浄化の送風のみで加湿運転しない場合、加湿フィルタ１８がホームポジションにある。即ち、フィルタ枠２２の防水部２８の周方向の中心位置が、加湿フィルタ１８の回転域の最下部に位置して、加湿フィルタ１８の非吸水領域１８ｂが貯水槽１５の水面Ｗに浸かり、加湿フィルタ本体１８ａが吸水しない状態にある。
したがって、加湿装置が電源オフで停止中の場合及び加湿運転をしない場合、加湿フィルタ本体１８ａは防水部２８により水との接触を断たれているため、加湿フィルタ１８の自然乾燥状態が保たれ、清潔な状態を維持する。
【００５０】
操作部６０の電源スイッチオンの場合、ＣＰＵ５０はファンモータ制御部６８を制御することによりファンモータ３８ａを駆動し、送風機３８の羽根３８ｃが回転して送風口１３に送風し、筐体１０内に生じた空気流により、筐体１０内が負圧になり、吸気口１２から筐体１０内に空気が流入する。吸気口１２から流入した空気は、集塵フィルタ１２ａ、脱臭フィルタ１２ｂ及びＨＥＰＡフィルタ１２ｃを経て清浄化し、筐体１０内の空気の通路を流れる（図１で示す白抜き矢印Ｆ２からＦ４を参照）。
【００５１】
加湿運転する場合、加湿装置では、先ず、ＣＰＵ５０が、操作部６０のスタートボタンのオン操作の有無により加湿開始か否かを判定し（Ｓ１１）、スタートボタンがオン操作されていない場合（Ｓ１１でＮＯ）、スタートボタンがオン操作されたか否かの判定の処理を繰り返す（Ｓ１１）。
【００５２】
次に、スタートボタンがオン操作された場合（Ｓ１１でＹＥＳ）、ＣＰＵ５０はフィルタモータ制御部６６を制御することによりフィルタモータ２５を作動する（Ｓ１２）。
ローラ２１の外周面２１ａがフィルタ枠２２の外周面２２ｂに転接した状態で、フィルタモータ２５の駆動によりローラ２１が回転し（図５及び図６で示す矢印Ｌを参照）、ローラ２１の回転と連動してフィルタ枠２２が回転し（図５及び図６で示す矢印Ｍを参照）、加湿フィルタ１８が周方向に回転する。
【００５３】
加湿フィルタ１８の回転により、加湿フィルタ１８の非吸水領域１８ｂ及び吸水領域１８ｃが貯水槽１５の水面Ｗに交互に浸水する。
吸水領域１８ｃが水面Ｗに浸水したとき、加湿フィルタ本体１８ａが吸水し、加湿フィルタ１８の回転により、水が加湿フィルタ本体１８ａにむらなく行き渡る。
加湿フィルタ１８に清浄化した空気が流入し、加湿フィルタ本体１８ａが吸収していた水が気化し、気化した水（水蒸気）は加湿フィルタ１８を流出した空気に含まれることにより、水蒸気によって空気が加湿される。湿度が高くなった空気は、送風機３８により送風口１３から加湿装置が設置されている室内へ送風される。
【００５４】
送風量を操作部６０により弱から中又は強等に切り替えて送風量が増大した場合、加湿フィルタ１８にかかる風圧が大きくなり、加湿フィルタ１８が風向き方向に位置ずれする（図８で示す白抜き矢印Ｋを参照）。加湿フィルタ１８が、風向き方向、即ち水平方向の送風機３８側に位置ずれした状態で、周方向に回転している場合、防水部２８の内周面２８ｃに設けてある磁石３２が、加湿フィルタ１８の回転域における最下部の近傍にきたとき、ＣＰＵ５０はリードスイッチ３４のオン・オフに基づいて磁石３２の接近及び隔離する周方向の位置を検知する。
【００５５】
加湿フィルタ１８が風向き方向に位置ずれした場合、磁石３２がリードスイッチ３４のスイッチオン領域にきたとき、磁石３２とリードスイッチ３４との距離Ｊはフィルタ枠２２の半径方向で略一定に保持されており、加湿フィルタ１８の風向き方向への位置ずれの影響を抑えて、リードスイッチ３４のスイッチオン領域、即ちリードスイッチ３４の検知領域に変動が生じない。
【００５６】
加湿フィルタ１８は６０秒で一回転し、非吸水領域１８ｂの磁石３２が１秒でスイッチオン領域を通過する場合、加湿フィルタ本体１８ａの非吸水領域１８ｂが浸水して、加湿フィルタ本体１８ａが一時的に非吸水状態になるとき、加湿フィルタ１８の１回転６０秒の内、加湿フィルタ本体１８ａが非吸水状態になる時間は１秒間であり、残りの５９秒間は加湿フィルタ本体１８ａが吸水するため、吸水量が大幅に低下することはない。
【００５７】
次いで、ＣＰＵ５０はストップスイッチの停止操作により加湿停止か否かを判定し（Ｓ１３）、停止操作がされていない場合（Ｓ１３でＮＯ）、加湿運転を継続して、停止操作による加湿停止の有無の判定処理を繰り返す。
ストップスイッチで停止操作がされた場合（Ｓ１３でＹＥＳ）、ＣＰＵ５０はリードスイッチ３４がスイッチオンであるか否かを判定し（Ｓ１４）、スイッチオンである場合（Ｓ１４でＹＥＳ）、磁石３２が既にスイッチオン領域に位置しているため、リードスイッチ３４がスイッチオフになったか否かを判定し（Ｓ１５）、リードスイッチ３４がスイッチオンである場合（Ｓ１５でＮＯ）、リードスイッチ３４がスイッチオフになったか否かの判定処理を繰り返す（Ｓ１５）。
【００５８】
一方、リードスイッチ３４がスイッチオフになった場合（Ｓ１５でＹＥＳ）、スイッチオン領域に位置していた磁石３２がスイッチオン領域から外れたため、ＣＰＵ５０は処理を次のＳ１６へ移す。
また、リードスイッチ３４がスイッチオフである場合（Ｓ１４でＮＯ）、磁石３２はスイッチオン領域から外れているため、ＣＰＵ５０は処理を次のＳ１６へ移す。
Ｓ１４又はＳ１５の処理完了後、ＣＰＵ５０は、リードスイッチ３４がスイッチオンになったか否かを判定し（Ｓ１６）、スイッチオフである場合は（Ｓ１６でＮＯ）、磁石３２は未だスイッチオン領域から外れているため、Ｓ１６の処理を繰り返し実行する。
【００５９】
リードスイッチ３４がスイッチオンになった場合（Ｓ１６でＹＥＳ）、磁石３２がスイッチオン領域内へ移動したため、ＣＰＵ５０は、リードスイッチ３４がスイッチオンになってからの経過時間の計時を開始する（Ｓ１７）。経過時間の計時は、例えばクロックを計数することによって行なう。
そして、ＣＰＵ５０は、経過時間の計時結果に基づき、時間記憶部５６ａに記憶されている時間Ｔの所定時間経過か否かを判定し（Ｓ１８）、経過していない場合（Ｓ１８でＮＯ）、スイッチオン領域へ移動した磁石３２が、未だスイッチオン領域の周方向中央位置に到達していないため、Ｓ１８の処理を繰り返し実行する。
【００６０】
時間記憶部５６ａに記憶されている時間Ｔが経過した場合（Ｓ１８でＹＥＳ）、スイッチオン領域へ移動した磁石３２がスイッチオン領域の周方向の中央位置に到達したため、ＣＰＵ５０は、フィルタモータ制御部６６を制御することによって、フィルタモータ２５が停止し（Ｓ１９）、Ｓ１７で開始した計時を終了して（Ｓ２０）、処理をＳ１１へ戻す。
【００６１】
以上のような加湿処理を実行することにより、実施の形態１に係る加湿装置においては、加湿フィルタ１８の非吸水領域１８ｂが貯水槽１５内に位置して、加湿フィルタ１８の回転が停止する。このため、加湿フィルタ本体１８ａは防水部２８により水に浸からず、自然乾燥して、清潔さを保持する。
加湿処理を行わず、送風機３８による送風をした場合、集塵フィルタ１２ａ、脱臭フィルタ１２ｂ及びＨＥＰＡフィルタ１２ｃによる空気清浄化処理が実行される。
【００６２】
このように実施の形態１に係る加湿装置は、風圧の増大により加湿フィルタ１８が水平に位置ずれした場合であっても、ＣＰＵ５０はリードスイッチ３４のオン・オフに基づく磁石３２の接近及び隔離する周方向の位置、即ち非吸水領域１８ｂの周方向の中心位置を誤検知することがない。
したがって、実施の形態１では、正確な回転停止位置で加湿フィルタ１８を回転停止させることができる。
【００６３】
なお、実施の形態１に係る磁石３２は、劣弧部２６ａと劣弧部２６ｂとを結ぶ直線上に配設したが、劣弧部２６ａの中央部から劣弧部２６ｂの中央部にまで至る範囲間に嵌着した磁石であってもよい。また磁石３２は防水部２８の内周面２８ｃ、即ちフィルタ枠２２の内周面に設けたが、防水部２８の外周面（フィルタ枠２２の外周面２２ｂ）に設けてもよい。
【００６４】
（実施の形態２）
次に実施の形態２について説明する。
実施の形態２に係る加湿装置は、基本的に実施の形態１と同様の構成であるが、ローラ２１の溝がフィルタ枠２２の突起輪に嵌合するようになっている点が異なる。
【００６５】
図１０は実施の形態２に係る加湿装置の内部構成を示す概略側断面図、図１１は加湿装置に係るフィルタ枠及びローラの詳細を示す図１０のＢの部分拡大図、図１２は加湿フィルタの背面図、図１３は図１２のＸＩＩＩ−ＸＩＩＩ側断面図である。
なお、実施の形態１と実質的に同一又は対応する部材には同一符号を用いて、重複する詳細な説明は適宜省略した。
実施の形態２に係る加湿装置では、フィルタ枠２２の外周面２２ｂの横方向の中央に、加湿フィルタ１８の前後の位置ずれを拘束するための突起輪２２ｃが、周方向に沿ってフィルタ枠２２と同心に突設されている。
【００６６】
フィルタ枠２２の外周面２２ｂの最頂部に、加湿フィルタ１８を回転させるためのローラ２１の外周面２１ａが転接している。図１１に示すように、ローラ２１の外周面２１ａの横方向の中央に、フィルタ枠２２の突起輪２２ｃに嵌合して加湿フィルタ１８の前後の位置ずれを拘束する凹形の溝２１ｂが、ローラ２１と同心に周設されている。
ローラ２１は、フィルタモータ２５の横向きの回転軸２５ａに連結されている。フィルタモータ２５は筐体１０内で空気の通路を形成する隔壁１０ａの背面側の上部に固定されている。
【００６７】
吸水する加湿フィルタ本体１８ａの周縁部の一部を囲う非吸水性の防水部２８により、加湿フィルタ１８には、非吸水領域１８ｂ（図１２の矢印Ｇで示す領域）及び吸水領域１８ｃ（図１２の矢印Ｈで示す領域）が形成されている。
【００６８】
非吸水領域１８ｂの位置を検知するため、被検知部である柱状の磁石７２が、防水部２８の後側壁２８ｂ外側の下縁部で劣弧部２６ｂの中央部に設けられている。磁石７２は加湿フィルタ１８の回転に伴い円軌道を描いて回転移動する。
【００６９】
加湿フィルタ１８の回転による磁石７２の接近及び隔離する周方向の位置を検知するために、検知器として機能するリードスイッチ７４が、貯水槽１５の後壁１５ｂの外側に磁石７２と対向可能な位置に、即ち磁石７２の回転域の最下部に臨ませて設けられている（図１０を参照）。
リードスイッチ７４は、磁石７２が所定検知範囲内に接近したときスイッチオンし、所定検知範囲外に隔離したときスイッチオフとなるように設定されている。
リードスイッチ７４はプリント基板（図示せず）に実装されており、プリント基板に形成されている信号線を介して制御部３６に接続されている。
【００７０】
加湿フィルタ１８の回転が停止し、非吸水領域１８ｂの周方向の中心位置が加湿フィルタ１８の最下部に位置して、非吸水領域１８ｂが貯水槽１５の水面Ｗに浸かり、磁石７２とリードスイッチ７４とが対向している位置にある場合、加湿フィルタ１８はホームポジションにある。
【００７１】
図１４は実施の形態２に係る加湿フィルタのホームポジションを示す背面図、図１５は加湿フィルタが吸水している状態を示す背面図である。
実施の形態２に係る加湿装置では、空気清浄化の送風のみで加湿運転をしない場合、加湿フィルタ１８はホームポジションにある。即ち、加湿フィルタ１８の非吸水領域１８ｂが貯水槽１５内に位置して、加湿フィルタ本体１８ａが吸水しない状態にある。
したがって、非吸水領域１８ｂにおける加湿フィルタ本体１８ａは、防水部２８により水に浸からないため、水に含まれている水溶性の不純物が加湿フィルタ本体１８ａに付着して析出するということが抑えられる。
【００７２】
加湿装置が電源オフで停止中の場合、加湿フィルタ本体１８ａは防水部２８により水との接触を断たれているため、加湿フィルタ１８の自然乾燥状態が保たれる。
【００７３】
加湿運転する場合、図１０及び図１５に示すように、制御部３６がファンモータ３８ａを駆動制御することにより、送風機３８のカゴ状の羽根３８ｃが回転し、吸気口１２から送風口１３に至る空気流が生じて筐体１０内が負圧になり、吸気口１２から湿度の低い空気が流入する（図１０の矢印Ｆ１からＦ４を参照）。
制御部３６はファンモータ３８ａの駆動後にフィルタモータ２５を駆動制御することにより、ローラ２１が回転し、ローラ２１の溝２１ｂがフィルタ枠２２の突起輪２２ｃに嵌合した状態で、ローラ２１の回転に連動して加湿フィルタ１８が回転する。
【００７４】
加湿フィルタ１８の回転により、加湿フィルタ１８の非吸水領域１８ｂ及び吸水領域１８ｃが貯水槽１５の水面Ｗに交互に浸水する。吸水領域１８ｃが水面Ｗに浸水したとき、加湿フィルタ本体１８ａが吸水し、加湿フィルタ１８の回転により、水が加湿フィルタ本体１８ａにむらなく行き渡る。
【００７５】
筐体１０内に流入した空気は、集塵フィルタ１２ａ、脱臭フィルタ１２ｂ及びＨＥＰＡフィルタ１２ｃに直交する方向に流入して清浄化され、清浄化された空気が、加湿フィルタ１８に流入する。
【００７６】
清浄化された空気が加湿フィルタ１８に流入することによって、加湿フィルタ１８が吸収していた水が気化し、気化した水（水蒸気）は加湿フィルタ１８から流出する空気に含まれることにより、水蒸気によって空気が加湿空気になる。
このようにして湿度が高くなった加湿空気は、送風機３８により送風口１３から、加湿装置が設置されている室内へ送風される。
【００７７】
送風量が弱から中又は強等に切り替わり、送風量が増大して加湿フィルタ１８に大きな風圧がかかった場合、突起輪２２ｃ及び溝２１ｂは、加湿フィルタ１８の風向き方向への位置ずれ、即ち前側方向への位置ずれを拘束し、磁石７２及びリードスイッチ７４が対向する位置での距離を一定に保持しており、リードスイッチ７４の検知領域に変動が生じない。
【００７８】
このように実施の形態２に係る加湿装置は、加湿フィルタ１８への風圧が増大した場合であっても、ＣＰＵ５０はリードスイッチ７４のオン・オフに基づく磁石７２の接近及び隔離する周方向の位置、即ち非吸水領域１８ｂの周方向の中心位置を誤検知することがない。
したがって、実施の形態２では、正確な回転停止位置で加湿フィルタ１８を回転停止させることができる。
【００７９】
なお、実施の形態２ではフィルタ枠２２に突起輪２２ｃを突設し、ローラ２１に溝２１ｂを周設したが、逆にローラ２１の外周面に突起輪を突設し、フィルタ枠２２に溝を周設するようにしてもよい。
【００８０】
（実施の形態３）
次に実施の形態３について説明する。
実施の形態３は実施の形態１及び実施の形態２の構成を組み合わせたものである。実施の形態１及び２と実質的に同一又は対応する部材には同一符号を用いて、重複する詳細な説明は適宜省略した。
図１６は実施の形態３に係る加湿装置の内部構成を示す概略側断面図である。
実施の形態３では、フィルタ枠２２の外周面２２ｂの横方向の中央に、突起輪２２ｃが、周方向に沿ってフィルタ枠２２と同心に突設されている。
フィルタ枠２２の外周面２２ｂの最頂部に、加湿フィルタ１８を回転させるためのローラ２１の外周面２１ａが転接している。ローラ２１の外周面２１ａの横方向の中央には、フィルタ枠２２の突起輪２２ｃに嵌合して加湿フィルタ１８の前後の位置ずれを拘束する凹形の溝２１ｂが、ローラ２１と同心に周設されている。
さらにフィルタ枠２２に被吸水性の防水部２８が設けられており、加湿フィルタ本体１８ａの周縁部の一部を囲って、加湿フィルタ１８の非吸水領域１８ｂを形成している。
【００８１】
非吸水領域１８ｂの位置を検知するため、被検知部である柱状の磁石３２が、防水部２８の内周面２８ｃの中央に、つまり劣弧部２６ａ及び劣弧部２６ｂの各中央部を結ぶ直線上の中央に設けられている。換言すれば、磁石３２は、非吸水領域１８ｂの周方向の中心位置の最下部に設けられており、フィルタ枠２２で保持する円盤状の加湿フィルタ本体１８ａの周縁部に埋め込まれた状態になっている。
吸水した加湿フィルタ本体１８ａは、加湿フィルタ１８の回転により、全体に水がむらなく行き渡るため、磁石３２の全表面が防水処理されている。
【００８２】
磁石３２は加湿フィルタ１８の回転に伴い円軌道を描いて回転移動する。加湿フィルタ１８の回転による磁石３２の接近及び隔離する周方向の位置を検知するために、検知器として機能するリードスイッチ３４が、フィルタ枠２２の外周面２２ｂの外側であってフィルタ枠２２の半径方向に位置するように設けられている。即ち、リードスイッチ３４は、貯水槽１５の平面視矩形状をなす底部１５ｃの下面の中央部に設けられている。磁石３２は貯水槽１５の底部１５ｃを介してリードスイッチ３４に対向可能になっている。貯水槽１５の底部１５ｃ下面の中央部は、筐体１０の床面に形成された凹部３５に対向しており、凹部３５内にリードスイッチ３４が嵌入した状態になっている。
【００８３】
リードスイッチ３４は、磁石３２が所定検知範囲内に接近したときスイッチオンし、所定検知範囲外に隔離したときスイッチオフとなるように設定されている。
リードスイッチ３４はプリント基板（図示せず）に実装されており、プリント基板に形成されている信号線を介して制御部３６に接続されている。
【００８４】
加湿フィルタ１８の回転が停止し、非吸水領域１８ｂが周方向の中心位置を最下部にして貯水槽１５の水面Ｗに浸かり、磁石３２とリードスイッチ３４とが対向している位置にある場合、加湿フィルタ１８はホームポジションにある。
【００８５】
実施の形態３に係る加湿装置では、空気清浄化の送風のみで加湿運転をしない場合、加湿フィルタ１８はホームポジションにある。即ち、加湿フィルタ１８の非吸水領域１８ｂが周方向の中心位置を最下部にして貯水槽１５内に位置し、加湿フィルタ本体１８ａが吸水しない状態にある。
したがって、非吸水領域１８ｂにおいて加湿フィルタ本体１８ａは水に浸からないため、水に含まれている水溶性の不純物が加湿フィルタ本体１８ａに付着して析出するということが抑えられる。
加湿装置が電源オフで停止中の場合、加湿フィルタ本体１８ａは防水部２８により水との接触を断たれているため、加湿フィルタ１８の自然乾燥状態が保たれる。
【００８６】
加湿運転する場合、図１６に示すように、送風機３８が回転して筐体１０内に吸気口１２から送風口１３に至る空気流が生じており、ローラ２１の外周面２１ａがフィルタ枠２２の外周面２２ｂに転接した状態で、ローラ２１の回転に連動して加湿フィルタ１８が回転する。加湿フィルタ本体１８ａの周縁部が連続的に貯水槽１５内の水面Ｗに浸かるため、効率よく吸水し、回転により加湿フィルタ本体１８ａ全体に水がむらなく行き渡る。
【００８７】
送風量が弱から中又は強等に切り替わり、送風量が増大して、加湿フィルタ１８に大きな風圧がかかった場合、突起輪２２ｃ及び溝２１ｂは、加湿フィルタ１８の風向き方向への位置ずれ、即ち前側方向への位置ずれを拘束し、磁石３２及びリードスイッチ３４が対向する位置での距離を一定に保持しており、リードスイッチ３４の検知領域に変動が生じない。
【００８８】
このように実施の形態３に係る加湿装置は、加湿フィルタ１８への風圧が増大した場合であっても、フィルタ枠２２の突起輪２２ｃ及びローラ２１の溝２１ｂが加湿フィルタ１８の前後方向への位置ずれを拘束するので、被検知部の磁石３２及び検知器のリードスイッチ３４が、対向する位置での距離を一定に保持して、ＣＰＵ５０はリードスイッチ３４のオン・オフに基づく磁石３２の位置を誤検知することがない。
したがって、実施の形態３では、正確な回転停止位置で加湿フィルタ１８を回転停止させることができる。
【００８９】
なお、実施の形態３では、実施の形態１と同様に、磁石３２をフィルタ枠２２の防水部２８の内周面２８ｃに設けたが、実施の形態２のように、防水部２８の後側壁２８ｂ外側の下縁部に設け、リードスイッチ７４を貯水槽１５の後壁１５ｂの外側に磁石７２と対向可能な位置に臨ませて設けてもよい。またローラ２１の外周面に突起輪を突設し、フィルタ枠２２に溝を周設するようにしてもよい。
また、実施の形態１から３では検知器としてリードスイッチを使用したが、リードスイッチに限らず、ホールＩＣ、フォトカプラ及びタクトスイッチ等を使用してもよい。
【図面の簡単な説明】
【００９０】
【図１】実施の形態１に係る加湿装置の内部構成を示す概略側断面図である。
【図２】加湿フィルタの背面図である。
【図３】図２のＩＩＩ−ＩＩＩ側断面図である。
【図４】実施の形態１に係る加湿装置の制御部を示すブロック図である。
【図５】実施の形態１に係る加湿フィルタのホームポジションを示す背面図である。
【図６】加湿フィルタが回転し、吸水している状態を示す背面図である。
【図７】加湿フィルタが風圧の増大により風向き方向に位置ずれした状態を示す概略側断面図である。
【図８】加湿装置における検知器及び被検知部の位置関係の詳細を示す図７のＡの部分拡大図である。
【図９】加湿装置の加湿処理を示すフローチャートである。
【図１０】実施の形態２に係る加湿装置の内部構成を示す概略側断面図である。
【図１１】加湿装置に係るフィルタ枠及びローラの詳細を示す図１０のＢの部分拡大図である。
【図１２】加湿フィルタの背面図である。
【図１３】図１２のＸＩＩＩ−ＸＩＩＩ側断面図である。
【図１４】実施の形態２に係る加湿フィルタのホームポジションを示す背面図である。
【図１５】加湿フィルタが吸水している状態を示す背面図である。
【図１６】実施の形態３に係る加湿装置の内部構成を示す概略側断面図である。
【図１７】従来の加湿装置の内部構成を示す概略側断面図である。
【図１８】加湿フィルタの非吸水部の詳細を示す図１７のＣの部分拡大図である。
【符号の説明】
【００９１】
Ｗ  水面
１５  貯水槽
１５ｃ  底部
１８  加湿フィルタ
１８ａ  加湿フィルタ本体
１８ｂ  非吸水領域
１８ｃ  吸水領域
１９  回転軸
２２  フィルタ枠
２２ｂ  外周面
２２ｃ  突起輪
２１  ローラ
２１ｂ  溝
２２ｂ  外周面
２６ａ、２６ｂ  劣弧部
２８  防水部
２８ｃ  内周面
３２、７２  磁石（被検知部）
３４、７４  リードスイッチ（検知器）
【図１】
2009186073.tif 000003
【図２】
2009186073.tif 000004
【図３】
2009186073.tif 000005
【図４】
2009186073.tif 000006
【図５】
2009186073.tif 000007
【図６】
2009186073.tif 000008
【図７】
2009186073.tif 000009
【図８】
2009186073.tif 000010
【図９】
2009186073.tif 000011
【図１０】
2009186073.tif 000012
【図１１】
2009186073.tif 000013
【図１２】
2009186073.tif 000014
【図１３】
2009186073.tif 000015
【図１４】
2009186073.tif 000016
【図１５】
2009186073.tif 000017
【図１６】
2009186073.tif 000018
【図１７】
2009186073.tif 000019
【図１８】
2009186073.tif 000020